(57)【要約】  【課題】  市販されている粘着テープも使用できる、シートをカード本体から剥離する剥離装置及び方法を提供する。  【課題手段】  シート剥離装置１０は、カード１を搬送経路Ｐに沿って送るとともに接着剤の接着力を低下させるヒートローラ対２０や、シートを粘着させる剥離用粘着テープ４０を供給するとともにカード１を搬送経路Ｐに沿って送る送りローラ対３０等を有する。粘着テープ４０は、送りローラ対の一方のローラ３０Ａを介してシート５に当てたられた後、巻き取りローラ４３で巻き取られる。本発明によれば、接着剤の接着力を予め弱めておくことにより、入手しやすい市販の粘着テープなどを使用した場合であっても、カード本体からシートを剥離することができる。【選択図】  図１
2007037062.tif 000002
【特許請求の範囲】
【請求項１】
カード本体上に接着剤を介して接着されたシートを剥がすシート剥離装置であって、
前記カードを送るカード送り機構と、
前記接着剤の接着力を低下させる接着力低下手段と、
剥離用粘着テープの供給手段と、
前記接着力低下手段を出たカード上のシート表面に前記粘着テープを当ててシートに粘着テープを粘着させる手段と、
シートを粘着したテープを前記カード本体から遠ざける手段と、
シートを粘着したテープを回収するテープ回収手段と、
を具備することを特徴とするシート剥離装置。
【請求項２】
前記接着剤がホットメルト系であり、
前記接着力低下手段が、ヒータで加熱されるヒートローラであることを特徴とする請求項１記載のシート剥離装置。
【請求項３】
カード本体上に接着剤を介して接着されたシートを剥がすシート剥離方法であって、
前記接着剤の接着力を低下させ、
前記シート表面に粘着テープを当てて該粘着テープに前記シートを粘着し、
シートを粘着した前記粘着テープを前記カード本体から遠ざけて、該シートを剥がすことを特徴とするシート剥離方法。
【請求項４】
前記接着剤がホットメルト系であり、
前記接着力低下手段が、前記カード本体上に設置されたシートの上面を加熱するヒータであることを特徴とする請求項１記載のシート剥離装置。
【請求項５】
前記テープ回収手段が前記テープを巻き取る巻き取りローラであり、
前記粘着テープが非透明であることを特徴とする請求項１、２又は４記載のシート剥離装置。
【請求項６】
前記テープ回収手段が前記テープを巻き取る巻き取りローラであり、
前記シートを粘着したテープに長手方向に多数のスリットを入れるスリッターを有することを特徴とする請求項１、２、４又は５記載のシート剥離装置。
【請求項７】
前記粘着テープが非透明であり、
前記シートを粘着したテープに長手方向に多数のスリットを入れることを特徴とする請求項３記載のシート剥離方法。
【請求項８】
前記テープ回収手段が、前粘着テープに粘着したシートを前記カード本体から引き剥がす剥離ローラを含むことを特徴とする請求項１、２、４、５及び６いずれか１項記載のシート剥離装置。
【請求項９】
前記剥離ローラが、前記スリッターを兼ねることを特徴とする請求項７記載のシート剥離装置。
【発明の詳細な説明】
【技術分野】
【０００１】
本発明は、ＩＤカード等のカード本体に接着剤を介して貼られているシートをカード本体から剥離する装置及び方法に関する。
【背景技術】
【０００２】
学生証や会員カードなど、身分証明用のＩＤカードには、カードの所有者に関する個別情報が記録されたＩＣカードが広く使用されている。このようなＩＣカードには、内蔵されている記録媒体に所有者の個人情報等が記録されているとともに、カードの一面には所有者の写真や住所などの目視可能な画像や文字情報が印刷されている。【０００３】
このようなＩＤカードは、有効期限切れになったり、卒業や脱会して不要になった場合、以前は廃棄されることが一般的であった。しかし、ＩＣカードは高価なため、上述のように不要になった場合や、あるいは印刷ミスが生じた場合に廃棄することは、費用的な負担が重いとともに、ゴミ問題においても好ましくない。【０００４】
そこで、目視可能な写真や文字が印刷されたシートを予め準備し、このシートをＩＣカードの一面にホットメルト接着剤などで貼り付け、不要になったカードからシートを剥がすことによって、カード本体を再使用する方法がとられることがある。この方法において、カード本体からシートを剥がす装置が開示されている（例えば、特許文献１参照）。この装置においては、熱硬化性接着剤をプリコートした剥離用シートを準備し、剥離用シートの接着剤側を剥がされるシートに接するように重ねる。そして、剥離用シート側から加熱ローラを押し当てて、ホットメルト接着剤を溶かし、シートとカード本体の接着力を低下させる。その後、熱硬化性接着剤でシートを剥離用シートに接着させ、剥離用シートとともにシートをカード本体から剥離する。【０００５】
【特許文献１】特許第３４０３５１７号
【発明の開示】
【発明が解決しようとする課題】
【０００６】
この方法においては、剥離用シートとして、引張強度の大きい樹脂製のロールシートの一面に熱硬化性接着剤がプリコートされた特殊なシートを準備する必要がある。【０００７】
本発明は上記の問題点に鑑みてなされたものであって、市販されている粘着テープも使用できる、シートをカード本体から剥離する剥離装置及び方法を提供することを目的とする。
【課題を解決するための手段】
【０００８】
本発明のシート剥離装置は、  カード本体、及び、該カード本体上に接着剤を介して接着されたシートを有するカードから前記シートを剥がすシート剥離装置であって、  前記カードを送るカード送り機構と、  前記接着剤の接着力を低下させる接着力低下手段と、  剥離用粘着テープの供給手段と、  前記接着力低下手段を出たカード上のシート表面に前記粘着テープを当ててシートに粘着テープを粘着させる手段と、  シートを粘着したテープを前記カード本体から遠ざける手段と、  シートを粘着したテープを回収するテープ回収手段と、を具備することを特徴とする。【０００９】
本発明によれば、接着剤の接着力を予め弱めておくことにより、入手しやすい市販の粘着テープなどを使用した場合であっても、カード本体からシートを剥離することができる。このため、ＩＣカードからシートを剥離する作業を楽に機械的に行うことができ、ＩＣカードの再使用化を促進できる。【００１０】
本発明においては、  前記接着剤がホットメルト系であり、  前記接着力低下手段が、ヒータで加熱されるヒートローラであることが好ましい。【００１１】
接着剤としてホットメルト系の接着剤を使用すると、加熱により接着剤の接着力を低下できる。【００１２】
本発明のシート剥離方法は、  カード本体上に接着剤を介して接着されたシートを剥がすシート剥離方法であって、  前記接着剤の接着力を低下させ、  前記シート表面に粘着テープを当てて該粘着テープに前記シートを粘着し、  シートを粘着した前記粘着テープを前記カード本体から遠ざけて、該シートを剥がすことを特徴とする。【００１３】
本発明のシート剥離装置においては、  前記接着剤がホットメルト系であり、  前記接着力低下手段が、前記カード本体上に設置されたシートの上面を加熱するヒータであることとしてもよい。【００１４】
この場合、ヒータがシートの上面に面で接触して同面を加熱するので、カード本体に加わる熱量を少なくすることができ、剥離時のカード本体の変形を抑制できる。【００１５】
本発明のシート剥離装置においては、  前記テープ回収手段が前記テープを巻き取る巻き取りローラであり、  前記粘着テープを非透明とすれば、粘着テープに粘着されたシートに表示されている個人情報等が見えなくなり、個人情報保護の点で有利である。【００１６】
本発明のシート剥離装置においては、  前記テープ回収手段が前記テープを巻き取る巻き取りローラであり、  前記シートを粘着したテープに長手方向に多数のスリットを入れるスリッターを有することが好ましい。【００１７】
この場合、巻き取りローラからシートが粘着された粘着テープを巻き剥がそうとすると、スリットに沿ってテープが切断され、シュレッダをかけた後のようにバラバラになる。このため、個人情報を読み取ることが不能となり、個人情報保護の点でさらに有利である。【００１８】
本発明のシート剥離方法においては、  前記粘着テープが非透明であり、  前記シートを粘着したテープに長手方向に多数のスリットを入れることが好ましい。【００１９】
本発明のシート剥離装置においては、  前記テープ回収手段が、前粘着テープに粘着したシートを前記カード本体から引き剥がす剥離ローラを含むことが好ましい。【００２０】
巻き取りローラでシートを剥離する力を加える場合、同ローラに巻き取られる粘着テープの長さが長くなって巻き取られたロール状テープの径が大きくなると、強い力の巻き取り力が必要となる。そこで、剥離ローラでシートをカード本体から剥離する力を与え、シートが粘着した粘着テープを巻き取りローラで巻き取る。この場合、剥離ローラには粘着テープが巻き取られないので、シートを剥離する力は常に変化しない。【００２１】
本発明のシート剥離装置においては、  前記剥離ローラが、前記スリッターを兼ねることとすれば、部品点数が少なくなり、装置構成を簡単にできる。
【発明の効果】
【００２２】
以上の説明から明らかなように、本発明によれば、市販の粘着テープを使用して、カード本体からシートを剥離できる装置及び方法を提供できる。このため、シートを剥離する作業をより日常的に行うことができ、ＩＣカードの再使用化を促進できる。
【発明を実施するための形態】
【００２３】
以下、本発明の実施の形態について、図面を参照しながら詳細に説明する。
まず、ＩＣカードにシートを貼ったカードをＩＤカードとして用いた例について説明する。
図３は、ＩＤカードの構成例を説明する図であり、図３（Ａ）は平面図、図３（Ｂ）は分解斜視図、図３（Ｃ）は側断面図である。
カード１は、図３（Ｂ）、（Ｃ）に示すように、カード本体３と、同カード本体３の一面に塗布された接着剤層７と、同接着剤層７を介してカード本体３に接着されたシート５とからなる三層構造を有する。
【００２４】
このカード１は、学生証や、会員証、社員証など、所有者の個人情報（住所、学生（会員、社員）番号、所属、生年月日など）が記録されて、個人の証明を行うＩＤカードとして使用される。さらに、例えば、生協や学生食堂、社員食堂などを利用したときの履歴や、電子マネーの蓄積、セキュリティーキーコードなどを更新、記録することもできる。
【００２５】
カード本体３は、一般的なＩＣカードを使用できる。このようなＩＣカードは、例えば、ＡＢＳやＰＥＴ等の樹脂で作製され、記録媒体としてＩＣチップＩＣを内蔵している。ＩＣチップＩＣ内のメモリに、所有者の住所、学生（会員、社員）番号、所属、生年月日などの個人情報が記録されている。また、他に、電子マネーの蓄積、セキュリティ−キーコードなどの情報が更新、記録される。カード本体３の裏面には、また、別の記録媒体として磁気テープＭＴが貼り付けられている。この磁気テープＭＴにも、生年月日、住所、学生（会員、社員）番号などの個人情報が記録されている。
【００２６】
シート５には、所有者の写真、住所、学生（会員、社員）番号、所属、生年月日などの、目視可能な画像や文字が印刷されている。なお、このような画像や文字は、シート５の裏側の面（接着剤層７の側の面）又は表側の面のいずれに印刷してもよい。裏側の面に印刷することにより、印刷面を傷や経時変化から保護することができる。ただし、裏側の面に印刷する場合は、シートとして透明なものを使用し、これらの画像や文字を鏡像反転させた画像や文字を、シートの裏側の面に印刷する必要がある。
本実施例（図３）には、シート５の裏面（接着剤層７の側の面）に画像や文字が印刷されているカード１を示したが、シート５の表面に画像や文字が印刷されているカードでもよいことはもちろんである。
【００２７】
シート５は、カード本体３の一面に接着剤層７で貼り付けられている。この接着剤は、常温下では高い接着力を有するが、所定温度へ昇温した場合には接着力が低下する特性を有する。つまり、常温環境下で、シート５をカード本体３の一面にシールのように貼り付けることができる。そして、所定温度に昇温すると、接着剤の接着力が低下してシート５をカード本体３から剥がすことができる。所定温度としては、カード本体３のチップＩＣに悪影響を与えることがなく、また、日常生活においてほとんど存在しておらず、日常生活中に昇温によりシート５がカード本体３から剥がれるようなこともないような温度が好ましい。このような接着剤としては、例えば、ホットメルト接着剤と呼ばれるものを使うことができる。
【００２８】
つまり、このカード１が不要になった場合には、所定温度に昇温することにより、シート５をカード本体３から簡単に剥離することができる。そして、カード本体３の記録媒体に記録されている情報を初期化して書き換えることにより、不要になった場合にカード本体３を再使用することができる。
【００２９】
図１は、本発明の第１の実施の形態に係るシート剥離装置の構成を説明する側面図である。
シート剥離装置１０は、カード１を、カード入口プレート１１（図の右側）からカード出口プレート１３（図の左側）へ送る水平面上の搬送経路Ｐを有する。この搬送経路Ｐに沿って、上流（図の右側）から下流（図の左側）に向けて、カード１を搬送経路Ｐに沿って送るとともに接着剤の接着力を低下させるヒートローラ対２０Ａ、２０Ｂや、シート５を粘着させる剥離用粘着テープ４０を供給するとともにカード１を搬送経路Ｐに沿って送る送りローラ対３０Ａ、３０Ｂ等が配置されている。粘着テープ４０は、後述するように、送りローラ対の一方のローラ３０Ａを介してシート５に当てられた後、巻き取りローラ４３で巻き取られる。
【００３０】
カード入口プレート１１は、搬送経路Ｐ上を水平に延びており、同プレート１１上にカード１が長手方向に載せられる。カード入口プレート１１の下流には、搬送経路Ｐを上下方向から挟むように一対のヒートローラ２０Ａ、２０Ｂが配置されている。各ヒートローラは反対方向に同速度（一例で約０．５ｍ／分）で駆動されおり、カード１の先端がローラ間に達すると、カード１は、搬送経路Ｐ上を図の右側から左側へ搬送される。各ヒートローラ２０Ａ、２０Ｂは、図示せぬ減速機付きモータで回転速度可変に駆動される。また、ヒートローラ２０Ａ、２０Ｂ間の間隔は、カード１の厚さに応じて適宜調整される。
【００３１】
各ヒートローラ２０Ａ、２０Ｂは耐熱ゴムで作製されており、各々アルミ製のヒータケース２１Ａ、２１Ｂ内に回転可能に保持されている。ヒートローラ２０は、搬送経路に面する以外の外周面がヒータケース２１に覆われている。ヒータケース２１Ａ、２１Ｂ内にはプレート状のヒータ２５Ａ、２５Ｂが収容されている。ヒータ２５が加熱されると、熱はヒートローラ２０に直接伝わるかヒータケース２１を介してヒートローラ２０に伝わり、同ローラ２０が所定の温度に加熱される。一例として、ヒートローラ２０は９５〜１４０℃の範囲に加熱可能である。上下のヒータケース２１Ａ、２１Ｂは、搬送経路Ｐを挟んでスペーサ２７により隔てられている。
また、上下のヒータケース２１Ａ、２１Ｂには、カード搬送経路Ｐを挟んで、ヒートローラ対２０Ａ、２０Ｂから、同ヒートローラ対の下流に配置されている送りローラ対３０Ａ、３０Ｂの近くまで延びる延長部２２Ａ、２２Ｂが形成されている。
【００３２】
ヒートローラ対２０の下流には、カード搬送経路Ｐを上下方向から挟むように一対の送りローラ３０Ａ、３０Ｂが配置されている。ヒートローラ対２０と送りローラ対３０間の間隔は、カード１の長手方向の長さよりも短い。各送りローラ３０は、ヒートローラ対２０の回転速度と同じ速度で反対方向に駆動されており、カード１の先端がローラ間に達すると、カード１は搬送経路Ｐ上を図の右側から左側へ搬送される。各送りローラ３０も、図示せぬ減速機付きモータで駆動される。また、送りローラ３０Ａ、３０Ｂ間の間隔も、カード１の厚さに応じて適宜調整される。
【００３３】
送りローラ対３０の下流には、カード出口プレート１３が設けられている。カード出口プレート１３は、搬送経路Ｐ上（カード挿入プレートと同じレベル）を延びている。また、送りローラ対３０の内の上方のローラ３０Ａの下流には、ブレード５０が配置されている。ブレード５０は、カード搬送経路Ｐから同経路に直交する上方に立設されている。ブレード５０の下端とカード排出プレート１３の上流側端部の間には、カード１が通過可能なスキマ（搬送経路Ｐ）が開いている。
【００３４】
なお、ブレード５０の下端５０ａは鋭角となるように折り返されている。また、カード排出プレート１３の上流側端部１３ａも、搬送経路Ｐに対して下方に折り返されている。
【００３５】
剥離用粘着テープ４０はロール状で、供給ローラ４１に取り付けられており、供給ローラ４１は装置に回転可能に保持されている。このような粘着テープ４０は市販の製品（例えば、ＴＭ３７３、住友スリーエム社製）を使用できる。粘着テープ４０は、粘着面を図の下側として、この供給ローラ４１から、送りローラ対３０の上方のローラ３０Ａ、及び、ブレードの下端５０ａを介して、巻き取りローラ４３に巻き取られる。ここで、粘着テープ４０は、ブレードの下端５０ａから搬送経路Ｐに対してほぼ直角に近い角度で上方に巻き取られる。巻き取りローラ４３は、テープ４０を送りローラ対３０からブレード下端５０ａまで送る速度が、カード１の送り速度と同じとなるように、モータで駆動される。
【００３６】
次に、このシート剥離装置１０において、カード本体３からシート５を剥離する方法を説明する。
図２は、シート剥離プロセスを説明する図である。
まず、ヒータ２５を作動させて、ヒートローラ対２０を所定の温度に加熱しておく。この際、カード１のシート５に接する側のヒートローラ２０Ａの加熱のみでも良い場合もある。ヒートローラ対２０が加熱された後、図２（Ａ）に示すように、カード１（接着剤層は図示省略）をシート５を上にして長手方向にカード入口プレート１１上に置き、ヒートローラ対２０間に差し込む。そして、モータに駆動されてヒートローラ対２０が回転し、カード１が先端から同ローラ対２０間に送られる。カード１がヒートローラ２０間を通過すると、カード１が加熱されてシート５をカード本体３に接着している接着剤が軟化し、シート５とカード本体３との接着力が弱くなる。
【００３７】
シート５の接着力が弱められたカード１は、ヒートローラ対２０から送りローラ対３０に送られる。各ローラ対間においても、ヒータケース２１の延長部２２が搬送経路Ｐの両側に延びてカード１を加熱した状態に保っているので、接着剤が再硬化するようなことがない。
【００３８】
カード１の先端が送りローラ対３０間に達すると、上側の送りローラ３０Ａの下面に沿って送られた粘着テープ４０の粘着面に、カード１のシート５が粘着する。そして、図２（Ｂ）に示すように、カード１の先端がブレードの下端５０ａに達すると、粘着テープ４０は上方に引っ張られて巻き取りローラ４３に巻き取られる。一方、カード本体３は、ブレードの下端５０ａと排出プレートの上流端１３ａとの間、及び、送りローラ３０Ａ、３０Ｂの間に挟まれて搬送経路Ｐ上でほぼ水平に保持されている。このため、既に接着力が弱められているシート５は、カード本体３から離れて粘着テープ４０に粘着したまま上方に剥ぎ取られ、巻き取りローラ４３に巻き取られる。
【００３９】
カード本体３はある程度の剛性を有するとともに、ブレード５０で押えられているので、シート５が粘着テープ４０に粘着されて上方に引っ張られても、カード本体３はカード出口プレート１３から浮き上がらずに、搬送経路Ｐ上でほぼ水平に保たれる。そして、シート５が完全に剥離されたカード本体３が完全にプレート１３上に送り出される。
【００４０】
図４は、本発明の第２の実施の形態に係るシート剥離装置の構成を説明する側面図である。
この例のシート剥離装置６０も、カード１を、カード入口プレート１１（図の右側）からカード出口プレート１３（図の左側）へ送る水平面上の搬送経路Ｐを有する。この搬送経路Ｐに沿って、上流（図の右側）から下流（図の左側）に向けて、送りローラ対７０、ヒータプレート組立体８０、送りローラ９６、剥離用粘着テープ４０を供給するブレード１００、送りプレート対１０５、送りローラ対１０７等が配置されている。さらに、この例のシート剥離装置６０は、粘着テープ４０に粘着したシート５をカード本体３から引き剥がす剥離ローラ１１３を備える。なお、図１のシート剥離装置と同じ作用・効果を有する部品・部材は図１と同じ符号を付し、説明を省略する。
【００４１】
カード入口プレート１１の下流には、搬送経路Ｐを上下方向から挟むように一対の送りローラ７０Ａ、７０Ｂが配置されている。下送りローラ７０Ｂは一定の速度（一例で約０．５ｍ／分）で駆動されており、カード１の先端がローラ７０間に達すると、カード１は、搬送経路Ｐ上を図の右側から左側へ搬送される。各ローラ７０Ａ、７０Ｂ間の間隔は、カード１の厚さに応じて適宜調整される。送りローラ対７０の下流には、搬送経路Ｐを上下方向から挟むように、ヒータプレート組立体８０が配置されている。
【００４２】
図５は、ヒータプレート組立体の構造を説明する図であり、図５（Ａ）は正面断面図、図５（Ｂ）は上面図である。
ヒータプレート組立体８０は、上側のヒータプレート８１と下側の下プレート８２からなる。ヒータプレート８１は、図５（Ｂ）に示すように、カード搬送方向に対して横長の形状である。図５（Ａ）に示すように、ヒータプレート８１と下プレート８２間にはワッシャ８３が介されており、両プレート８１、８２間に搬送経路Ｐが形成されている。
【００４３】
ヒータプレート８１の上面には、板状ヒータ８４が埋設されている。板状ヒータ８４は、長さはカードの長さ（長手方向長さ）よりも短く、幅はカードの幅（短手方向長さ）よりも広い。板状ヒータ８４の上面は、同ヒータ８４よりも一回り大きいヒータ押え板８５で覆われている。このヒータ押え板８５は、四隅でヒータプレート８１にボルト８６で取り外し可能に固定されている。さらに、板状ヒータ８４は、ヒータ押え板８５の上からボルト８７でヒータプレート８１に対して押えられており、板状ヒータ８４とヒータプレート８１との密着性を向上させている。このボルト８７には、センサやヒータ給電線（図示されず）が取り付けられている。
【００４４】
ヒータプレート８１は、下プレート８２に対して上方に変位可能に支持されている。つまり、ヒータプレート８１は、下プレート８２に四隅でロッド８８によって支持されている。各ロッド８８は、図５（Ａ）に示すように、ヒータプレート８１とワッシャ８３を貫通して、下プレート８２を貫通しており、下端にはワッシャ８９を介してナット９０が螺合している。各ロッド８８の上端には、ナット９１が螺合している。このナット９１の下面とヒータプレート８１の上面との間には、ワッシャ９２、９３を介してバネ９４が介装されている。このバネ９４により、ヒータプレート８１がナット９１に対して下方に付勢されている。
【００４５】
ヒータプレート８１と下プレート８２間の搬送経路Ｐに搬送されるカード本体の厚さが、ワッシャ８３の厚さよりも厚い場合、ヒータプレート８１はバネ９４の付勢力に抗して上方に移動可能である。このように、カード本体の厚さに応じてヒータプレート８１と下プレート８２との間の搬送経路Ｐの高さが調整される。
【００４６】
再び図４を参照して説明する。ヒータプレート組立体８０の下流には、送りローラ９６（例えば、シリコンゴム製）が配置されている。送りローラ９６は一定の速度（一例で約０．５ｍ／分）で駆動されている。この送りローラ９６と前述の搬送ローラ対７０間の距離は、カードの長さ（長手方向長さ）よりもやや短く設定されている。この送りローラ９６には、斜め後上方からブレード１００が当接している。ブレード１００は、やや厚めの横長のプレート状の部材であり、先端面（当接面）１００ａは斜めになっている。この先端面１００ａは搬送経路Ｐにほぼ平行となって送りローラ９６に当接している。先端面１００ａの上流端は鈍角のアール状であり、下流端は鋭角のアール状となっている。
【００４７】
ブレード１００及び送りローラ９６の下流には、カード搬送プレート対１０５が設けられている。カード搬送プレート対１０５は、搬送経路を挟む上下一対のプレート１０５Ａ、１０５Ｂからなる。
【００４８】
カード搬送プレート対１０５の下流には、送りローラ対１０７が配置されている。送りローラ対１０７が、上下の送りローラ１０７Ａ、１０７Ｂからなる。下送りローラ１０７Ｂは一定の速度（一例で約０．５ｍ／分）で駆動されている。送りローラ９６と、送りローラ対１０７間の距離は、カードの長手方向長さよりやや短く設定されている。この送りローラ対１９７の下流にはカード出口プレート１３が配置されている。
【００４９】
ロール状の剥離用粘着テープ４０は供給ローラ４１に取り付けられている。この粘着テープ４０としては市販の非透明な製品を使用できる。供給ローラ４１は、ケーシング６１に回転可能かつ取り外し可能に保持されている。粘着テープ４０は、粘着面を図の下側として、この供給ローラ４１から、ガイドローラ１１１を介して繰り出され、ブレード１００の先端面１１０ａに巻かれた後、剥離ローラ１１３を介して、巻き取りローラ４３に巻き取られる。巻き取りローラ４３はケーシング６１に取り外し可能に取り付けられており、モータで回転駆動される。
【００５０】
剥離ローラ１１３は、粘着テープ４０の粘着面が粘着しにくい材料（例えば、テフロン（登録商標）やシリコンゴム）で作製され、ブレード先端面１００ａの下流端よりも後方の区間内を、搬送経路Ｐ方向（図の左右方向）に移動可能となるようにケーシング６１に取り付けられており、モータで回転駆動される。例えば、剥離ローラ１１３を搬送経路下流方向（図の左方向）に移動させると、ブレード先端面１００ａの下流端から粘着テープ４０の進む角度が大きくなり、上流方向（図の右方向）に移動させると、同角度が小さくなる（鋭角になる）。この角度が小さいほど剥離力が大きい。この角度、すなわち、剥離ローラ１１３の位置は、カード本体の材質（ＰＥＴや塩化ビニル）によって変えることができる（剥離ローラ１１３の移動機構については説明を省略する）。巻き取りローラ４３及び剥離ローラ１１３は、粘着テープ４０を送る速度が、カード１の送り速度（一例で約０．５ｍ／分）と同じとなるように駆動されている。
【００５１】
剥離ローラ１１３の、粘着テープ４０が当てられる部分には、補助ローラ１１５が押圧されている。補助ローラ１１５は、Ｌ字型のリンクプレート１１６を介してケーシング６１に取り付けられている。リンクプレート１１６は、ほぼ中央１１６ａで、ケーシング６１に取り付けられた回転軸１１７に回動可能に取り付けられている。リンクプレート１１６の一端１１６ｂは、引きバネ１１８で引かれるように付勢されている。補助ローラ１１５は、リンクプレート１１６の他方の端部１１６ｃに回転可能に取り付けられている。リンクプレート１１６が引きバネ１１８で引かれて回転軸１１７を中心にして図の時計方向に回転しようとする力で、補助ローラ１１５が剥離ローラ１１３に押圧されている。このような構成により、前述のように剥離ローラ１１３を移動させた場合も、補助ローラ１１５が剥離ローラ１１３に押圧される。
【００５２】
次に、このシート剥離装置６０において、カード本体３からシート５を剥離する方法を説明する。
まず、板状ヒータ８４を作動させて、ヒータプレート８１を所定の温度に加熱しておく。ヒータプレート８１が加熱された後、カード１をシート５を上にして長手方向にカード入口プレート１１上に置き、送りローラ７０間に差し込む。カード１は送りローラ対７０で、ヒータプレート組立体８０に送られる。同組立体８０において、カード１がヒータプレート８１と下プレート８２間の搬送経路Ｐを通過すると、カード１の上面（シート５）がヒータプレート８１で加熱されて、シート５をカード本体３に接着している接着剤が軟化し、シート５とカード本体３との接着力が弱くなる。
【００５３】
シート５の接着力が弱められたカード１は、ブレード１００と送りローラ９６の間に送られる。カード１の先端がブレード１００と送りローラ９６との間に達すると、ブレード先端面１００ａに巻かれた粘着テープ４０の粘着面に、カード１のシート５が粘着する。そして、カード１の先端がブレード先端面１００ａの下流端に達すると、カード１の後部（上流部）は、ヒータプレート８１と下プレート８２との間に挟まれているので搬送経路Ｐ上でほぼ水平に保たれているが、既に接着力が弱められているシート５は粘着テープ４０に粘着したまま剥離ローラ１１３によって上方に引っ張られ、カード本体３から剥ぎ取られる。シート５が粘着した粘着テープ４０は、剥離ローラ１１３を介して巻き取りローラ４３に巻き取られる。この際、シート５は、主に剥離ローラ１１３の回転によってカード本体５から剥ぎ取られる。
【００５４】
例えば、巻き取りローラ４３の回転でシート５をカード本体３から引き剥がす場合、巻き取りローラ４３に巻き取られる粘着テープ４０の長さが長くなって、巻き取られた粘着テープ４０の厚さが厚くなる（ロール状のテープ巻き取り体の径が大きくなる）と、シート５を引き剥がすために、大きい駆動力が必要になる。そこで、剥離ローラ１１３を駆動して、剥離ローラ１１３と補助ローラ１１５でシートを挟んで粘着テープ４０を引っ張ってシート５をカード本体３から引き剥がし、その後で粘着テープ４０を巻き取りローラ４３へ送る。剥離ローラ１１３には粘着テープ４０が巻き付かないので、シート５を剥離する力は常に変化しない。このため、巻き取りローラ４３へ巻き取られた粘着テープ４０の長さが長くなっても、巻き取りローラ４３の駆動力を大きくする必要がない。
【００５５】
カード本体３はある程度の剛性を有するとともに、ブレード１００で押えられているので、シート５が粘着テープ４０に粘着されて上方に引っ張られても、カード本体３は搬送経路Ｐ上でほぼ水平に保たれたまま、送りプレート対１０５に送られる。そして、シート５が完全に剥離されたカード本体３が送りプレート対１０５から送りローラ対１０７に送られて、プレート１３上に送り出される。一方、粘着テープ４０に粘着されたシート５に記載されている個人情報などの事項は、粘着テープ４０が非透明であるので、読み取ることができない。
【００５６】
図６は、本発明の第３の実施の形態に係るシート剥離装置の剥離ローラと補助ローラの構造を説明する図である。
この例のシート剥離装置は、図４のシート剥離装置とほぼ同様の構成であるが、剥離ローラと補助ローラの構造が異なる。この例の剥離ローラ１１３´の幅方向中央部には、図に示すように、周方向に延びる短い刃１２３が、周方向に並んで埋設されている。一方、補助ローラ１１５´の、剥離ローラ１１３´の各刃１２３に対向する部分には、周方向に溝１２５が形成されている。つまり、両ローラ１１３´、１１５´が押圧された状態では、刃１２３は溝１２５に入り込む。なお、刃１２３と溝１２５は、逆のローラに設けられてもよい。
【００５７】
このような剥離ローラ１１３´及び補助ローラ１１５´を使用することにより、シート５が粘着した粘着テープ４０がこれらのローラ間を通過する間に、刃１２３によって長さ方向に切れ目が入れられる。このため、いったん巻き取りローラ４３に巻き取られたシート５が粘着された粘着テープ４０を巻き剥がそうとすると、テープ４０は切れ目で切断され、シュレッダを通した後のようにバラバラになる。このため、シート５に表示された個人情報を読み取り難くなる。
【図面の簡単な説明】
【００５８】
【図１】本発明の実施の形態に係るシート剥離装置の構成を説明する側面図である。
【図２】シート剥離プロセスを説明する図である。
【図３】ＩＤカードの構成例を説明する図であり、図３（Ａ）は平面図、図３（Ｂ）は分解斜視図、図３（Ｃ）は側断面図である。
【図４】本発明の第２の実施の形態に係るシート剥離装置の構成を説明する側面図である。
【図５】ヒータプレート組立体の構造を説明する図であり、図５（Ａ）は正面断面図、図５（Ｂ）は上面図である。
【図６】本発明の第３の実施の形態に係るシート剥離装置の剥離ローラと補助ローラの構造を説明する図である。
【符号の説明】
【００５９】
１  ＩＤカード                        ３  カード本体
５  シート                            ７  接着層
１０  シート剥離装置                  １１  入口プレート
１３  出口プレート                    ２０  ヒートローラ
２１  ヒータケース                    ２２  延長部
２５  ヒータ                          ２７  スペーサ
４１  供給ローラ                      ４３  巻き取りローラ
５０  ブレード
６０  シート剥離装置                  ６１  ケーシング
７０  送りローラ                      ８０  ヒータプレート組立体
８１  ヒータプレート                  ８２  下プレート
８３、８９、９２、９３  ワッシャ      ８４  板状ヒータ
８５  押え板                          ８６、８７  ボルト
８８  ロッド                          ９０、９１  ナット
９４  バネ                            ９６  送りローラ
１００  ブレード                      １０５  カード搬送プレート
１０７  送りローラ                    １１１  ガイドローラ
１１３  剥離ローラ                    １１５  補助ローラ
１１６  リンクプレート                １１８  引きバネ
１２３  刃                            １２５  溝
【図１】
2007037062.tif 000003
【図２】
2007037062.tif 000004
【図３】
2007037062.tif 000005
【図４】
2007037062.tif 000006
【図５】
2007037062.tif 000007
【図６】
2007037062.tif 000008
【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
カード本体上に接着剤を介して接着されたシートを剥がすシート剥離装置であって、
前記カードを送るカード送り機構と、
前記接着剤の接着力を低下させる接着力低下手段と、
剥離用粘着テープの供給手段と、
前記接着力低下手段を出たカード上のシート表面に前記粘着テープを当ててシートに粘着テープを粘着させる手段と、
シートを粘着したテープを前記カード本体から遠ざける手段と、
シートを粘着したテープを回収するテープ回収手段と、
を具備することを特徴とするシート剥離装置。
【請求項２】
前記接着剤がホットメルト系であり、
前記接着力低下手段が、ヒータで加熱されるヒートローラであることを特徴とする請求項１記載のシート剥離装置。
【請求項３】
前記接着剤がホットメルト系であり、
前記接着力低下手段が、前記カード本体上に設置されたシートの上面を加熱するヒータであることを特徴とする請求項１記載のシート剥離装置。
【請求項４】
前記テープ回収手段が前記テープを巻き取る巻き取りローラであり、
前記粘着テープが非透明であることを特徴とする請求項１、２又は３記載のシート剥離装置。
【請求項５】
前記テープ回収手段が前記テープを巻き取る巻き取りローラであり、
前記シートを粘着したテープに長手方向に多数のスリットを入れるスリッターを有することを特徴とする請求項１〜４いずれか１項記載のシート剥離装置。
【請求項６】
前記テープ回収手段が、前粘着テープに粘着したシートを前記カード本体から引き剥がす剥離ローラを含むことを特徴とする請求項１〜５いずれか１項記載のシート剥離装置。
【請求項７】
前記剥離ローラが、前記スリッターを兼ねることを特徴とする請求項６記載のシート剥離装置。
【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
カード本体上に接着剤を介して接着されたシートを剥がすシート剥離装置であって、
前記カードを送るカード送り機構と、
前記接着剤の接着力を低下させる接着力低下手段と、
剥離用粘着テープの供給手段と、
前記接着力低下手段を出たカード上のシート表面に前記粘着テープを当ててシートに粘着テープを粘着させる手段と、
シートを粘着したテープを前記カード本体から遠ざける手段と、
シートを粘着したテープを回収するテープ回収手段と、
を具備することを特徴とするシート剥離装置。
【請求項２】
前記接着剤がホットメルト系であり、
前記接着力低下手段が、ヒータで加熱されるヒートローラであることを特徴とする請求項１記載のシート剥離装置。
【請求項３】
前記接着剤がホットメルト系であり、
前記接着力低下手段が、前記カード本体上に設置されたシートの上面を加熱するヒータであることを特徴とする請求項１記載のシート剥離装置。
【請求項４】
前記テープ回収手段が前記テープを巻き取る巻き取りローラであり、
前記粘着テープが非透明であることを特徴とする請求項１、２又は３記載のシート剥離装置。
【請求項５】
さらに、前記シートを粘着したテープに長手方向に多数のスリットを入れるスリッターを具備することを特徴とする請求項１〜４いずれか１項記載のシート剥離装置。
【請求項６】
前記シートを粘着したテープを前記カード本体から遠ざける手段が、前記粘着テープに粘着したシートを前記カード本体から引き剥がす剥離ローラを含むことを特徴とする請求項１〜５いずれか１項記載のシート剥離装置。
【請求項７】
さらに、前記シートを粘着したテープに長手方向に多数のスリットを入れるスリッターを具備し、
前記シートを粘着したテープを前記カード本体から遠ざける手段が、前記粘着テープに粘着したシートを前記カード本体から引き剥がす剥離ローラを含み、
前記剥離ローラが、前記スリッターを兼ねることを特徴とする請求項１〜４記載のシート剥離装置。
【手続補正２】
【補正対象書類名】明細書
【補正対象項目名】００１６
【補正方法】変更
【補正の内容】
【００１６】
本発明のシート剥離装置においては、さらに、前記シートを粘着したテープに長手方向に多数のスリットを入れるスリッターを具備することが好ましい。
【手続補正３】
【補正対象書類名】明細書
【補正対象項目名】００１７
【補正方法】変更
【補正の内容】
【００１７】
この場合、テープ回収手段から、シートが粘着された粘着テープを巻き剥がそうとすると、スリットに沿ってテープが切断され、シュレッダをかけた後のようにバラバラになる。このため、個人情報を読み取ることが不能となり、個人情報保護の点でさらに有利である。
【手続補正４】
【補正対象書類名】明細書
【補正対象項目名】００１９
【補正方法】変更
【補正の内容】
【００１９】
本発明のシート剥離装置においては、  前記シートを粘着したテープを前記カード本体から遠ざける手段が、前記粘着テープに粘着したシートを前記カード本体から引き剥がす剥離ローラを含むことが好ましい。
【手続補正５】
【補正対象書類名】明細書
【補正対象項目名】００４０
【補正方法】変更
【補正の内容】
【００４０】
図４は、本発明の第２の実施の形態に係るシート剥離装置の構成を説明する側面図である。
この例のシート剥離装置６０も、カード１を、カード入口プレート１１（図の右側）からカード出口プレート１３（図の左側）へ送る水平面上の搬送経路Ｐを有する。この搬送経路Ｐに沿って、上流（図の右側）から下流（図の左側）に向けて、送りローラ対７０、ヒータプレート組立体８０、送りローラ９６、剥離用粘着テープ４０を供給する供給ローラ４１、ブレード１００、送りプレート対１０５、送りローラ対１０７等が配置されている。さらに、この例のシート剥離装置６０は、粘着テープ４０に粘着したシート５をカード本体３から引き剥がす剥離ローラ１１３を備える。なお、図１のシート剥離装置と同じ作用・効果を有する部品・部材は図１と同じ符号を付し、説明を省略する。